(57)【要約】【課題】簡易な構造で簡便に組み立てることが可能で、塵埃の影響を受けることなく高い信頼性で集塵室内外の圧力差を検出可能なスイッチを備える電気掃除機を提案する。【解決手段】電気掃除機１は、電動送風機８により真空排気される集塵室１７を仕切る第一隔壁３５と、集塵室１７に流体的に接続される負圧室３６の一部を仕切る第二隔壁３７と、集塵室１７外の雰囲気に流体的に接続される正圧室３８の一部を仕切る第三隔壁４１と、第一隔壁３５および第二隔壁３７と協働して負圧室３６を仕切るとともに第三隔壁４１と協働して正圧室３８を仕切って負圧室３６と正圧室３８との圧力差で変位する受圧体４２と、正圧室３８内にあって受圧体４２の変位によって受圧体４２と接触または離間すると電路４３を閉じまたは開く端子４５と、を備える。【選択図】  図３
2013202092.tif 000002
【特許請求の範囲】
【請求項１】
電動送風機と、
前記電動送風機により真空排気される集塵室を仕切る第一隔壁と、
前記集塵室に流体的に接続される負圧室の一部を仕切る第二隔壁と、
前記集塵室外の雰囲気に流体的に接続される正圧室の一部を仕切る第三隔壁と、
前記第一隔壁および前記第二隔壁と協働して前記負圧室を仕切るとともに前記第三隔壁と協働して前記正圧室を仕切って前記負圧室と前記正圧室との圧力差で変位する受圧体と、
前記正圧室内にあって前記受圧体の変位によって前記受圧体と接触または離間すると電路を閉じまたは開く端子と、を備えることを特徴とする電気掃除機。
【請求項２】
前記第一隔壁と前記第二隔壁とは一体成形品であり、前記第三隔壁は前記第二隔壁に外嵌まりし、前記第三隔壁および前記第二隔壁は前記受圧体を挟み込んで保持することを特徴とする請求項１に記載の電気掃除機。
【請求項３】
前記受圧体の変位量が前記受圧体の最大変位量よりも小さい所定変位量内にあるとき前記受圧体に追従可能なよう前記端子の移動を許可するとともに前記受圧体の変位量が前記所定変位量を超えたとき前記端子の移動を規制して前記受圧体から離間させる端子保持部と、
前記端子を前記受圧体に押し付けて前記受圧体の変位に追従させる弾性体と、を備えることを特徴とする請求項１または２に記載の電気掃除機。
【請求項４】
音、光および振動の少なくともいずれかを発生させる報知部と、
前記集塵室内に作用する圧力と前記正圧室に作用する前記雰囲気の圧力との圧力差が予め設定される所定の閾値を超えると前記電路の開閉状態の変化に連動させて前記電動送風機の出力変化および前記報知部の作動の少なくともいずれかを行う制御部と、を備えることを特徴とする請求項１から３のいずれか１項に記載の電気掃除機。
【発明の詳細な説明】
【技術分野】
【０００１】
本発明にかかる実施形態は、電気掃除機に関する。
【背景技術】
【０００２】
電動送風機と、この電動送風機により真空排気される集塵室を仕切る本体ケースと、集塵室内に着脱自在に装着される集塵袋（所謂紙パック）と、を備える電気掃除機が知られている。この種の電気掃除機は吸い込んだ塵埃を集塵袋で捕集し、蓄積する。
【０００３】
ところで、蓄積する塵埃の量が増えすぎると、集塵袋は目詰まってしまう。集塵袋が目詰まると、電動送風機の吸込側は閉塞または閉塞に近い状態になり、電動送風機が吸い込む空気の流量は著しく減り、集塵室の圧力、すなわち電動送風機の吸込側の圧力は過度に低下する。こうなると、電動送風機の軸系（遠心ファンやモータの回転子）は空転してしまう。この軸系の空転は、電動送風機の故障原因になり得る。
【０００４】
そこで、集塵室の内圧を検出して電気信号に変換する圧力スイッチを備える電気掃除機が知られている。この圧力スイッチは、導圧管を介して集塵室と流体的に接続する空間（負圧室）内に配置された押しボタンスイッチと、集塵室の負圧が高まる（圧力が下がる）と負圧室の容積を小さくする方向へ変位して押しボタンスイッチを押し込む受圧体と、を備える。
【先行技術文献】
【特許文献】
【０００５】
【特許文献１】特開平８−１９４９６号公報
【発明の概要】
【発明が解決しようとする課題】
【０００６】
従来の電気掃除機は、集塵室に接続された負圧室内に押しボタンスイッチを配置している。したがって、この押しボタンスイッチは、集塵袋を透過する極めて細かい塵埃（微細塵）に曝されてしまう。この微細塵は、機械的な出没機構を備える押しボタンスイッチに悪影響をもたらす虞が高く、押しボタンスイッチの誤検出の原因になり得る。
【０００７】
また、従来の電気掃除機は、本体ケースから隙間を隔てて圧力スイッチを配置し、この隙間に押しボタンスイッチの基台を配置する。このような配置構造は、押しボタンスイッチを負圧室内に配置することを強く意図したものである。このような配置構造のために、従来の掃除機は、本体ケース、押しボタンスイッチ（基台を含む）、圧力スイッチのケーシングをそれぞれ別個の部品として準備し、これを組み立てる必要が有る。しかも、従来の電気掃除機は、互いに隔てられた本体ケースと圧力スイッチのケーシングとを流体的に接続するために導圧管を必要とし、加えて、導圧管と本体ケースとの接続部分の気密を保つパッキンを必要とする。つまり、従来の電気掃除機は、圧力スイッチを本体ケースへ接続するための多数の部品と、組立に手間の掛かる複雑な構造とを備える。
【０００８】
そこで、本発明は、簡易な構造で簡便に組み立てることが可能で、塵埃の影響を受けることなく高い信頼性で集塵室内外の圧力差を検出可能なスイッチを備える電気掃除機を提案する。
【課題を解決するための手段】
【０００９】
前記の課題を解決するため本発明の実施形態に係る電気掃除機は、電動送風機と、前記電動送風機により真空排気される集塵室を仕切る第一隔壁と、前記集塵室に流体的に接続される負圧室の一部を仕切る第二隔壁と、前記集塵室外の雰囲気に流体的に接続される正圧室の一部を仕切る第三隔壁と、前記第一隔壁および前記第二隔壁と協働して前記負圧室を仕切るとともに前記第三隔壁と協働して前記正圧室を仕切って前記負圧室と前記正圧室との圧力差で変位する受圧体と、前記正圧室内にあって前記受圧体の変位によって前記受圧体と接触または離間すると電路を閉じまたは開く端子と、を備えることを特徴とする。
【図面の簡単な説明】
【００１０】
【図１】本発明の実施形態に係る電気掃除機の外観を示す斜視図。
【図２】本発明の実施形態に係る電気掃除機のブロック図。
【図３】本発明の実施形態に係る電気掃除機の集塵室および圧力スイッチを示す断面図であり、受圧体が中立位置にある状態を示す図。
【図４】本発明の実施形態に係る電気掃除機の集塵室および圧力スイッチを示す断面図であり、受圧体の変位量が所定変位量内にある状態を示す図。
【図５】本発明の実施形態に係る電気掃除機の集塵室および圧力スイッチを示す断面図であり、受圧体の変位量が所定変位量を超えた状態を示す図。
【発明を実施するための形態】
【００１１】
本発明に係る電気掃除機の実施形態について図１から図５を参照して説明する。
【００１２】
図１は、本発明の実施形態に係る電気掃除機の外観を示す斜視図である。
【００１３】
図１に示すように、本実施形態に係る電気掃除機１は、いわゆるキャニスタ型の電気掃除機である。電気掃除機１は、被掃除面上を走行可能な掃除機本体２と、掃除機本体２に着脱自在に接続可能な管部３と、を備える。
【００１４】
掃除機本体２は、本体ケース５と、本体ケース５の両側方にそれぞれ位置する一対の車輪６と、本体ケース５の前半部に位置する着脱自在な集塵袋７と、本体ケース５の後半部に位置する電動送風機８と、主に電動送風機８の運転を制御する本体制御部９（制御部）と、電動送風機８に電力を導く電源コード１１と、圧力スイッチ１５と、報知部１６と、を備える。
【００１５】
本体ケース５は、管部３を着脱自在に接続可能な継手である本体接続口１２を有する。本体接続口１２は、掃除機本体２の流体的な入口であり、管部３と集塵袋７とを流体的に接続する。また、本体ケース５は、電動送風機８により真空排気される集塵室１７を有する。集塵室１７は集塵袋７を着脱自在に収容する。
【００１６】
集塵袋７は、所謂紙パックであり、電動送風機８が発生させる負圧によって被掃除面から管部３および本体接続口１２を経て流れ込む塵埃を含んだ空気（以下、「含塵空気」と呼ぶ。）から塵埃を分離し、捕集し、蓄積する。なお、塵埃を除かれた清浄な空気は集塵袋７を通過して電動送風機８へ流れ込む。
【００１７】
電動送風機８は、集塵袋７を通過する空気を吸い込んで掃除機本体内を負圧にする。
【００１８】
本体制御部９は、マイクロプロセッサ（図示省略）や、マイクロプロセッサが実行する各種演算プログラムやパラメータなどを記憶する記憶装置（図示省略）を備える。本体制御部９は、予め設定される複数の運転モードを記憶装置に記憶する。予め設定される複数の運転モードは、管部３から受け取る操作信号に対応し、運転モード間の違いとして相互に異なる入力値（電動送風機８の入力値）を有する。本体制御部９は、管部３から操作信号を受け取ると、操作信号に対応する任意の運転モードを予め設定される複数の運転モードから択一的に選択して記憶部から読み出し、当該運転モードにしたがって電動送風機８を運転制御する。
【００１９】
電源コード１１は、その自由端部に電源プラグ１４を備える。
【００２０】
圧力スイッチ１５は、本体ケース５内にある。
【００２１】
報知部１６は、本体制御部９の制御にしたがって音、光および振動の少なくともいずれかを発生させる。
【００２２】
管部３は、電動送風機８の運転にともなって掃除機本体２から作用する負圧によって、被掃除面から含塵空気を吸い込んで掃除機本体２へ案内する。管部３は、掃除機本体２に着脱自在に接続可能な継手としての接続管１９と、接続管１９に流体的に接続される集塵ホース２１と、集塵ホース２１に流体的に接続される手元操作管２２と、手元操作管２２から突出する把持部２３と、把持部２３に位置する操作部２４と、手元操作管２２に着脱自在に接続可能な延長管２５と、延長管２５に着脱自在に接続可能な吸込口体２６と、を備える。
【００２３】
接続管１９は、本体接続口１２に着脱自在に接続可能な継手であり、本体接続口１２を介して集塵袋７に流体的に接続される。
【００２４】
集塵ホース２１は、長尺で可撓な略円筒形状のホースである。集塵ホース２１の一方の端部（ここでは、後方の端部）は接続管１９に流体的に接続される。集塵ホース２１は、接続管１９を介して集塵袋７に流体的に接続される。
【００２５】
手元操作管２２は、集塵ホース２１と延長管２５との間に介在する。手元操作管２２の一方の端部（ここでは、後方の端部）は、集塵ホース２１の他方の端部（ここでは、前方の端部）に流体的に接続される。手元操作管２２は、集塵ホース２１および接続管１９を介して集塵袋７に流体的に接続される。
【００２６】
把持部２３は、電気掃除機１を操作するために使用者が手で把持する部分である。把持部２３は、使用者が手で容易に把持できる適宜の形状を有して手元操作管２２から突出する。
【００２７】
操作部２４は、それぞれの運転モードに対応付けられるスイッチを備える。具体的には、操作部２４は、電動送風機８の運転停止操作に対応付けられる停止スイッチ２４ａと、電動送風機８の運転開始操作に対応付けられる起動スイッチ２４ｂと、を備える。停止スイッチ２４ａおよび起動スイッチ２４ｂは、本体制御部９に電気的に接続する。電気掃除機１の使用者は、操作部２４を操作して電動送風機８の運転モードを択一的に選択できる。電動送風機８が運転を開始した後、起動スイッチ２４ｂは運転モードの選択スイッチとしても機能する。この場合、本体制御部９は、起動スイッチ２４ｂから操作信号を受け取る度に運転モードを強→中→弱→強→………のように切り換える。なお、操作部２４は、起動スイッチ２４ｂに代えて、弱運転スイッチ（図示省略）、中運転スイッチ（図示省略）および強運転スイッチ（図示省略）を個別に備えていても良い。
【００２８】
延長管２５は、伸縮可能な細長略円筒状の管である。延長管２５は、複数の筒状体を重ね合わせたテレスコピック構造を有する。延長管２５の一方の端部（ここでは、後方の端部）は、手元操作管２２の他方の端部（ここでは、前方の端部）に着脱自在かつ流体的に接続される。延長管２５は、手元操作管２２、集塵ホース２１および接続管１９を介して集塵袋７に流体的に接続される。
【００２９】
吸込口体２６は、延長管２５の他方の端部（ここでは、前方の端部）に着脱自在かつ流体的に接続される。また、吸込口体２６は、木床やカーペットなどの被掃除面上を走行自在あるいは滑走自在な構造を有するとともに、走行状態または滑走状態において被掃除面に対向する底面（壁面）に吸込口２８を有する。さらに、吸込口体２６は、吸込口２８に位置して回転自在な回転清掃体２９と、回転清掃体２９を駆動させる電動機３１と、を備える。吸込口体２６は、延長管２５、手元操作管２２、集塵ホース２１および接続管１９を介して集塵袋７に流体的に接続される。
【００３０】
電気掃除機１は、起動スイッチ２４ｂの操作を受け付けると電動送風機８の運転を開始する。運転を開始した電動送風機８は、掃除機本体２の内部から空気を排気して掃除機本体２の内部を負圧（吸込負圧）にする。電気掃除機１は、例えば電動送風機８が停止している状態で起動スイッチ２４ｂの操作を受け付けると、先ず電動送風機８を強運転モードで運転し、次いで起動スイッチ２４ｂの操作を受け付けると電動送風機８を中運転モードで運転し、さらに起動スイッチ２４ｂの操作を受け付けると電動送風機８を弱運転モードで運転し、以下繰り返す。強運転モード、中運転モードおよび弱運転モードは、予め設定される複数の運転モードであり、強運転モード、中運転モード、弱運転モードの順に入力値が小さい。
【００３１】
掃除機本体２内部の負圧は、集塵袋７、本体接続口１２、接続管１９、集塵ホース２１、手元操作管２２および延長管２５を経て吸込口体２６の吸込口２８に作用する。電気掃除機１は、吸込口２８に作用した負圧で被掃除面に溜まった塵埃を空気とともに吸込口２８から吸い込んで被掃除面を掃除する。集塵袋７は、電気掃除機１に吸い込まれた含塵空気から塵埃を分離し、捕集し、蓄積する。含塵空気から分離して清浄になった空気は、集塵袋７および電動送風機８を通過して掃除機本体２外へ排気される。
【００３２】
このとき、電動送風機８は、集塵室１７内の空気を真空排気して掃除機本体２の内部を負圧にする。この負圧は、集塵袋７を通じて管部３、吸込口２８に作用する。集塵袋７は、含塵空気に含まれる塵埃を捕集する一方で、蓄積する塵埃の量が増えすぎると目詰まってしまう。集塵袋７が目詰まると、電動送風機８の吸込側は閉塞または閉塞に近い状態になり、電動送風機８が吸い込む空気の流量、すなわち電気掃除機１が吸い込む含塵空気の量は著しく減る。この状態のまま電動送風機８を運転すると、集塵室１７の圧力、すなわち電動送風機８の吸込側の圧力は過度に低下し、電動送風機８の軸系の空転、ひいては電動送風機８の故障の原因になる。
【００３３】
そこで、本実施形態に係る電気掃除機１は、圧力スイッチ１５の検出結果を利用して電動送風機８を制御し、軸系の空転を回避と保護とを図る。
【００３４】
図２は、本発明の実施形態に係る電気掃除機のブロック図である。
【００３５】
本実施形態に係る電気掃除機１は、集塵室１７内の圧力を圧力スイッチ１５で検出し、集塵室１７内に作用する圧力と電気掃除機１の雰囲気の圧力との圧力差（差圧）が予め設定される所定の閾値を超えると、電動送風機８の出力を変化および報知部１６の作動の少なくともいずれかを行う。
【００３６】
具体的には、圧力スイッチ１５は、集塵室１７内の圧力と掃除機本体２の雰囲気の圧力との圧力差を監視し、この圧力差が予め設定される所定の閾値内にあるか否かの状態を電気信号に変換して本体制御部９へ送信する。
【００３７】
本体制御部９は、集塵室１７内に作用する圧力と電気掃除機１の雰囲気の圧力との圧力差が予め設定される所定の閾値を超えると、圧力スイッチ１５と本体制御部９とを電気的に接続する電路の開閉状態の変化に連動させて、電動送風機８の出力変化および報知部１６の作動の少なくともいずれかを行う。
【００３８】
具体的には、本体制御部９は、先ず圧力スイッチ１５が出力する電気信号を監視する。そして、集塵室１７内に作用する圧力と電気掃除機１の雰囲気の圧力との圧力差が予め設定される所定の閾値を超えると（つまり、集塵室１７内の圧力と掃除機本体２の雰囲気の圧力との圧力差が予め設定される所定の閾値を超えたことを表す信号を圧力スイッチ１５から受信すると）、本体制御部９は、スイッチング素子３２をスイッチング制御して電動送風機８の入力値を減じ、電動送風機８の出力を低減させたり、報知部１６を作動させて電動送風機８の吸込側圧力の過度の低下、ひいては集塵袋７が塵埃で満杯（あるいは満杯に近い状態）になったことを使用者に知らせたりする。
【００３９】
次に、圧力スイッチ１５の詳細を説明する。
【００４０】
図３から図５は、本発明の実施形態に係る電気掃除機の集塵室および圧力スイッチを示す断面図である。
【００４１】
図３から図５に示すように、本実施形態に係る電気掃除機１は、電動送風機８により真空排気される集塵室１７を仕切る第一隔壁３５と、集塵室１７に流体的に接続される負圧室３６の一部を仕切る第二隔壁３７と、集塵室１７外の雰囲気に流体的に接続される正圧室３８の一部を仕切る第三隔壁４１と、第一隔壁３５および第二隔壁３７と協働して負圧室３６を仕切るとともに第三隔壁４１と協働して正圧室３８を仕切って負圧室３６と正圧室３８との圧力差に相関して変位する受圧体４２と、正圧室３８内にあって受圧体４２の変位によって受圧体４２と接触または離間すると電路４３を閉じまたは開く端子４５と、を備える。
【００４２】
また、電気掃除機１は、受圧体４２の変位量が受圧体４２の最大変位量よりも小さい所定変位量内にあるとき受圧体４２に追従可能なよう端子４５の移動を許可するとともに受圧体４２の変位量が所定変位量を超えたとき端子４５の移動を規制して受圧体４２から離間させる端子保持部４６と、端子４５を受圧体４２に押し付けて受圧体４２の変位に追従させる第一弾性体４７と、を備える。
【００４３】
なお、図３は受圧体４２が中立位置にある状態、すなわち負圧室３６と正圧室３８とがほぼ同じ圧力にある状態を示す。図４は受圧体４２の変位量が所定変位量内にある状態、すなわち負圧室３６と正圧室３８との圧力差が予め定める閾値よりも小さい圧力差にある状態を示す。図５は受圧体４２の変位量が所定変位量を超えた状態、すなわち負圧室３６と正圧室３８との圧力差が予め定める閾値を超えた圧力差にある状態を示す。
【００４４】
圧力スイッチ１５は、受圧体４２の変位量の所定変位量を境に、受圧体４２の変位の大きさを電路４３の導通または遮断で表す二値的な電気信号に変換する。
【００４５】
第一隔壁３５は本体ケース５の一部であり、集塵室１７を仕切る壁の一部でもある。また、第一隔壁３５は集塵室１７と負圧室３６とを隔てる壁でもある。第一隔壁３５は、集塵室１７と電動送風機８の吸込側とを流体的に接続する適宜の開口（図示省略）と、集塵室１７と負圧室３６とを流体的に接続する導圧路４８と、を有する。導圧路４８は第一隔壁３５を貫通する孔である。第一隔壁３５の内側は集塵室１７であり、集塵室１７から電動送風機８までの流路における圧力損失にもよるが、電動送風機８の吸込側の圧力にほぼ等しい。他方、第一隔壁３５の外側は電気掃除機１の雰囲気に開放し、ほぼ大気圧下にある。
【００４６】
第二隔壁３７も本体ケース５の一部であり、すなわち、第一隔壁３５と第二隔壁３７とは一体成形品である。第二隔壁３７は第一隔壁３５の外側へ向かって延びる筒形状の壁である。第二隔壁３７の内側は負圧室３６となる空間である。
【００４７】
負圧室３６は導圧路４８を通じて集塵室１７内の圧力を取り出し、この圧力を受圧体４２の一方の面に加える。
【００４８】
第三隔壁４１は第二隔壁３７よりも一回り大径な筒形状の壁であり、負圧室３６側へ開放する有底筒形状、カップ形状を呈して正圧室３８を仕切る。第三隔壁４１は第二隔壁３７に覆い被さって第二隔壁３７に外嵌まりする。なお、第三隔壁４１と第二隔壁３７とは、ビスなどの締結部材（図示省略）で強固に固定されたり、第三隔壁４１の内面と第二隔壁３７の外面とのそれぞれに、相互に引っ掛かり合う凹凸を介して強固に固定されたりする。
【００４９】
また、第三隔壁４１は正圧室３８と掃除機本体２の雰囲気とを流体的に接続する正圧孔４９を有する。
【００５０】
正圧室３８は正圧孔４９を通じて電気掃除機１の雰囲気の圧力（つまり、大気圧）を引き込み、この圧力を受圧体４２の他方の面に加える。
【００５１】
第三隔壁４１および第二隔壁３７は受圧体４２を挟み込み、第三隔壁４１および第二隔壁３７が協働して仕切る空間内に受圧体４２を保持する。
【００５２】
受圧体４２は、正圧室３８と負圧室３６との圧力差で変形するダイアフラム５１と、ダイアフラム５１の正圧室３８側の面（ダイアフラム５１の他方の面）に固定される導電体５２と、を備える。ダイアフラム５１は柔軟なシリコンの板であり、正圧室３８と負圧室３６との圧力差で容易に変形して導電体５２ごと変位する。受圧体４２は、正圧室３８と負圧室３６とが殆ど同じ圧力（つまり差圧が略ゼロ）の状態で中立に位置する。
【００５３】
ダイアフラム５１の負圧室３６側の面（ダイアフラム５１の一方の面）と第一隔壁３５との間には、第二弾性体５３が挟み込まれている。第二弾性体５３は、所謂コイルバネであり、受圧体４２が中立に位置するときに自然長の状態にある。圧力スイッチ１５は、第二弾性体５３の弾性率、具体的にはコイルバネのバネ定数を調整することによって、負圧の大きさと受圧体４２の変位量との関係を調整できる。なお、受圧体４２は、ダイアフラム５１の負圧室３６側の面に保護板５５を備える。保護板５５は、第二弾性体５３とダイアフラム５１との直接的な接触を妨げてダイアフラム５１の破損を防止する。
【００５４】
端子保持部４６は第三隔壁４１に固定される。端子保持部４６はスリーブ状であり、中央に貫通孔を有する。端子保持部４６は第三隔壁４１に一体成形されても良く、第三隔壁４１に一体化される別部品であっても良い。
【００５５】
端子４５は、電路４３の正極側および負極側それぞれにある。両方の端子４５が導電体５２に接すると電路４３は閉じられ、少なくとも片方の端子４５が導電体５２から離れると電路４３は開かれる。電路４３が閉じれば圧力スイッチ１５は導通状態になり、電路４３が開けば圧力スイッチ１５は遮断状態になる。
【００５６】
また、端子４５の一部は端子保持部４６の貫通孔に緩く差し込まれて端子４５全体を支える。端子４５は、この端子保持部４６の貫通孔に緩く差し込まれた部分が貫通孔内を滑動することで受圧体４２へ向かって移動できる。
【００５７】
第一弾性体４７は、導電体５２へ接触する方向へ向けて端子４５に力を加える。第一弾性体４７は具体的には板バネであり、この他にコイルバネなどの弾性体であっても良い。第一弾性体４７から端子４５へ加わる力は、受圧体４２が中立位置にあるとき、端子４５と導電体５２との接触、ひいては電路４３の導通を確実化する。また、この力は、受圧体４２が負圧室３６側の負圧に引かれて第三隔壁４１側から遠ざかる最中、受圧体４２の変位量がその最大変位量よりも小さい所定変位量内において、端子４５を受圧体４２に追従させる（図４）。つまり、第一弾性体４７は、受圧体４２の変位量が所定変位量内のとき、端子４５と導電体５２との導通状態を保たせる。あるいは、受圧体４２の変位量が所定変位量内のとき、端子４５と導電体５２との導通状態は、第一弾性体４７によって保たれる。
【００５８】
ただし、第一弾性体４７から端子４５に加わる力は、受圧体４２の変位量が所定変位量を超えると端子保持部４６によって阻害される。つまり、受圧体４２に対する端子４５の追従動作が規制され、端子４５が導電体５２から離れ、電路４３が遮断される（図５）。
【００５９】
本実施形態の電気掃除機１は、端子４５を正圧室３８側に配置するため、集塵袋７を透過する極めて細かい塵埃（微細塵）と電路４３の開閉（つまり端子４５と受圧体４２との接点の接触と離間）との関係を縁切り、当該塵埃が差圧の誤検出の原因になることなく、差圧検出の信頼性を低下させることがない。
【００６０】
また、本実施形態の電気掃除機１は、端子４５を正圧室３８側に配置するため、圧力スイッチ１５の電気回路に邪魔されることなく負圧室３６を集塵室１７に隣接させて配置させることが可能になる。このことは、負圧室３６を集塵室１７に流体的に接続する管状の部材を不要にし、圧力スイッチ１５を構成する部品点数を減じ、組立を容易化することにも寄与する。
【００６１】
さらに、本実施形態の電気掃除機１は、集塵室１７を仕切る第一隔壁３５と負圧室３６を仕切る第二隔壁３７とを一体成形することができるため、圧力スイッチ１５を構成する部品点数をさらに減じ、組立をさらに容易化できる。しかも、本実施形態の電気掃除機１は、第三隔壁４１を第二隔壁３７に外嵌めして圧力スイッチ１５を組み立てることが可能であり、このときに受圧体４２の保持、固定まで済ませてしまうので、ほぼ１つの動作で組立を終える極めて効率の良い組立性を備え、作業時間の短縮にも寄与できる。
【００６２】
さらにまた、本実施形態の電気掃除機１は、端子保持部４６と第一弾性体４７とを組み合わせる簡素な構造で端子４５を受圧体４２に適宜の変位量内で追従させることができるため、端子４５と受圧体４２との接点動作の信頼性を高めることができるとともに、圧力スイッチ１５の応答性（例えば掃除機本体２の振動によって受圧体４２が端子４５から不意に離れて誤検出するような場合の応答性）を緩慢にすることができる。
【００６３】
また、本実施形態の電気掃除機１は、圧力スイッチ１５による集塵室１７と雰囲気との圧力差を高信頼度で検出できるため、電動送風機８の軸系の空転の開始を確実に捕らえ、電動送風機８を停止させたり、異常を報知して電動送風機８の停止操作を使用者へ促したりすることができる。
【００６４】
したがって、本発明に係る電気掃除機１によれば、簡易な構造で簡便に組み立てることが可能で、塵埃の影響を受けることなく高い信頼性で集塵室内外の圧力差を検出可能な圧力スイッチ１５を備えることができる。
【００６５】
なお、本実施形態に係る電気掃除機１は、キャニスタ型のものに限らず、アップライト型、スティック型、あるいはハンディ型などのものであってもよい。
【００６６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６７】
１  電気掃除機
２  掃除機本体
３  管部
５  本体ケース
６  車輪
７  集塵袋
８  電動送風機
９  本体制御部
１１  電源コード
１２  本体接続口
１４  電源プラグ
１５  圧力スイッチ
１６  報知部
１７  集塵室
１９  接続管
２１  集塵ホース
２２  手元操作管
２３  把持部
２４  操作部
２４ａ  停止スイッチ
２４ｂ  起動スイッチ
２５  延長管
２６  吸込口体
２８  吸込口
２９  回転清掃体
３１  電動機
３２  スイッチング素子
３５  第一隔壁
３６  負圧室
３７  第二隔壁
３８  正圧室
４１  第三隔壁
４２  受圧体
４３  電路
４５  端子
４６  端子保持部
４７  第一弾性体
４８  導圧路
４９  正圧孔
５１  ダイアフラム
５２  導電体
５３  第二弾性体
５５  保護板
【図１】
2013202092.tif 000003
【図２】
2013202092.tif 000004
【図３】
2013202092.tif 000005
【図４】
2013202092.tif 000006
【図５】
2013202092.tif 000007